(57)【特許請求の範囲】
【請求項１】
背面の両側より手前に向けて突設された一対の側面を有し、かつ該側面及び背面で形成された空間の上方及び下方が開放された収納本体と、
該収納本体の各側面の下部に対し一端を回動自在に軸支された第１の側部及び該第１の側部に連接されポリ袋等を懸架可能な水平部を有する懸架部材と、
前記収納本体の各側面の上部に対し一端を回動自在に軸支された第２の側部及び該第２の側部に連接された前面を有し、自重により該前面が前記ポリ袋等を押圧可能で、前記第２の側部及び前記前面で形成された空間の上方及び下方が開放された押さえ部材とを備えたポリ袋等の収納具であって、
該押さえ部材の第２の側部が前記懸架部材の第１の側部の外方に配設され、前記押さえ部材が垂下されたとき、前記第１の側部と前記第２の側部とは互いに交差され、かつ前記ポリ袋等を前記押さえ部材と前記収納本体の間の空間の上部に形成された開口から一枚ずつ取り出し可能としたことを特徴とするポリ袋等の収納具。
【請求項２】
前記懸架部材の下方に向けた回動範囲を制限する回動停止コマを前記収納本体の各側面に備えたことを特徴とする請求項１記載のポリ袋等の収納具。
【請求項３】
前記収納本体の両側面の上部には、前記懸架部材を係止する固定顎溝を備えたことを特徴とする請求項１又は請求項２記載のポリ袋等の収納具。
【発明の詳細な説明】
【０００１】
【発明の属する技術分野】
本発明はポリ袋等の収納具に係わり、特にポリ袋等の袋体を使い易い状態に整理して保管することができ、かつ一枚毎の分離取り出しを容易に可能とするポリ袋等の収納具に関する。
【０００２】
【従来の技術】
ポリ袋等の袋体は、多数重ね合わせて、外装袋体に収納して販売され、外装袋の一部を開口して一枚づつ取り出してごみ袋等として使用するものである。そして、台所や納戸等において横積み保管される場合が多い。
【０００３】
【発明が解決しようとする課題】
しかしながら、この市販のポリエチレン製袋等は柔らかい。台所や納戸等が狭いスペースの場合には、このポリエチレン製袋の上に様々な物が置かれるケースも多く、上の物が滑りやすい上に、使用時に一枚一枚取り出しにくいという欠点がある。
【０００４】
本発明はこのような従来の課題に鑑みてなされたもので、ポリ袋等の袋体を使い易い状態に整理して保管することができ、かつ一枚毎の分離取り出しを容易に可能とするポリ袋等の収納具を提供することを目的とする。
【０００５】
【課題を解決するための手段】
このため本発明（請求項１）は、背面の両側より手前に向けて突設された一対の側面を有し、かつ該側面及び背面で形成された空間の上方及び下方が開放された収納本体と、該収納本体の各側面の下部に対し一端を回動自在に軸支された第１の側部及び該第１の側部に連接されポリ袋等を懸架可能な水平部を有する懸架部材と、前記収納本体の各側面の上部に対し一端を回動自在に軸支された第２の側部及び該第２の側部に連接された前面を有し、自重により該前面が前記ポリ袋等を押圧可能で、前記第２の側部及び前記前面で形成された空間の上方及び下方が開放された押さえ部材とを備えたポリ袋等の収納具であって、該押さえ部材の第２の側部が前記懸架部材の第１の側部の外方に配設され、前記押さえ部材が垂下されたとき、前記第１の側部と前記第２の側部とは互いに交差され、かつ前記ポリ袋等を前記押さえ部材と前記収納本体の間の空間の上部に形成された開口から一枚ずつ取り出し可能としたことを特徴とする。
【０００６】
使用される懸架部材は、丸棒もしくはパイプ状の金属等で形成されていることが、取扱い性や耐久性などの点で好ましい。また、押さえ部材は、滑りやすいポリエチレン製ポリ袋等を接触押圧して保持する。また、開口からは一枚毎にポリ袋等を分離取り出し可能で柔らかいポリエチレン等を痛めることもなく好ましい。
【０００７】
懸架部材と押さえ部材とを互いに交差して回動可能としたので、ポリ袋の交換や補給にあって作業が簡単で使い易い。収納本体の背面に、合成樹脂等による吸盤を配設すれば、冷蔵庫、キッチン等の壁面に吸着固定することが可能となり、台所などの狭いスペースを有効に活用できる。
【０００８】
また、本発明（請求項２）は、前記懸架部材の下方に向けた回動範囲を制限する回動停止コマを前記収納本体の各側面に備えて構成した。
【０００９】
更に、本発明（請求項３）は、前記収納本体の両側面の上部には、前記懸架部材を係止する固定顎溝を備えて構成した。
【００１０】
【発明の実施の形態】
以下、本発明の実施形態について説明する。
図１に本発明の実施形態であるポリ袋等の収納具１０の使用時の斜視図を示す。また、図２には構造および部品構成を示す組立図、図３にはポリ袋等が懸架されていない状態での側面図、図４にはポリ袋等が懸架されていない状態での正面図、図５にはポリ袋等が懸架されていない状態での平面図を示す。
【００１１】
図１〜図５において、収納本体１は略コの字形状をした板体で構成されている。収納本体１の両側面１ａ、１ｂは手前に向けて折曲されている。この両側面１ａ、１ｂには懸架部材２の回動を保持する軸受孔４ａ、４ｂが設けられている。懸架部材２は断面円形の棒体であり、収納本体１の両側面１ａ、１ｂの外面に合わせて両側部２ａ、２ｂが９０度折曲され、更に端部２ｃ、２ｄが内側に向けて９０度程折曲して構成されている。
【００１２】
懸架部材２の水平部２ｅには、ポリ袋１５等が多数二つ重ね折りにして懸架されるようになっている。この水平部２ｅの長さは、ポリ袋１５等の標準的な規格に合わせて幅がほぼ２４センチメートルで構成されている。この幅は、いずれの容量のポリ袋１５等に対しても適用可能な、ポリ袋１５等が標準的に折り畳まれて袋詰めされ販売されている状態のサイズである。
この端部２ｃ、２ｄは軸受孔４ａ、４ｂに通され、かつ軸受ピン７Ａ、７Ｂにより両側面１ａ、１ｂから外れないようにネジ止めされている。
【００１３】
また、軸受孔４ａ、４ｂの手前には回動停止コマ５Ａ、５Ｂが突設され、懸架部材２が自重により回転するのを停止するようになっている。一方、両側面１ａ、１ｂの上部には固定顎溝６ａ、６ｂの切り込みが形成されている。この固定顎溝６ａ、６ｂには、懸架部材２が収納されるようになっている。
【００１４】
更に、収納本体１の裏面両端部にはＬ字状の固定部材３Ａ、３Ｂが固着されている。固定部材３Ａ、３Ｂの折曲部分３ａ、３ｂは両側面１ａ、１ｂより所定間隔離隔されて配設されている。即ち、懸架部材２の両側部２ａ、２ｂより折曲部分３ａ、３ｂが外側となるように形成されている。固定部材３Ａ、３Ｂの折曲部分３ａ、３ｂにはボルト穴１１ａ、１１ｂが設けられている。
【００１５】
そして、このボルト穴１１ａ、１１ｂに通されるボルト９Ａ、９Ｂにより、コの字状の押さえ部材１３が回動自在に軸支されている。押さえ部材１３の下方にはアーチ状の切り込み１３ａが形成されている。この押さえ部材１３の自重により、懸架部材の水平部２ｅに多数重ねして折り返ししたポリ袋等は奥方向に向けて押圧されるようになっている。
【００１６】
また、収納本体１の背面１ｃには冷蔵庫やキッチン台に取り付けるためのキスゴム等の接着固定部材８Ａ、８Ｂが取り付けられている。
収納本体１、懸架部材２、押さえ部材１３の材質は、金属もしくは硬質合成樹脂等で形成されることが好ましい。
【００１７】
かかる構成において、収納本体１に軸支された懸架部材２は押さえ部材１３の内側に配設され、互いに回動して交差自在である。懸架部材２が上方に回動された場合には、懸架部材２の水平部２ｅが固定顎溝６ａ、６ｂに収納される。一方、押さえ部材１３は自重で下方に向けて回動する。このため、懸架部材２が下方手前に向けて回動するのが阻止される。
【００１８】
このとき、懸架部材２の水平部２ｅにポリ袋１５等が掛けられた場合には、このポリ袋１５等は押さえ部材１３により奥に向けて押される。押さえ部材１３が落下された場合には、収納本体１と押さえ部材１３の間には上部と下部とに開口が形成され、この上部開口には上方より指を入れることができる。下部開口は多数二つ折り重ねしたポリ袋の長さに制約されない逃げ口となっている。
【００１９】
また、押さえ部材１３の正面部には広告表示が可能で、ポリ袋メーカーのプレミアム商品あるいは市町村の分別ごみ出しの啓蒙等の表示に有効に活用されても良い。
【００２０】
次に、使用方法について説明する。
まず、収納本体１は接着固定部材８Ａ、８Ｂにより冷蔵庫等の壁面に固定する。図６に示すように、押さえ部材１３を上方に開くと、懸架部材２が自動的に自重により手前に傾倒される。そして、停止コマ５Ａ、５Ｂにより停止される。続いて、図７に示すようにポリ袋１５等を懸架部材２の水平部２ｅに掛ける。
【００２１】
ポリ袋１５等は、市販の外装袋体から開封して取り出した状態で、直ちにそのままの形で掛けられる。その後、図８の側面図および図９の斜視図に示すように、押さえ部材１３をポリ袋１５等の上に乗せる。この状態で、懸架部材２を押し込むと、押さえ部材１３は自重により自然落下され、ポリ袋１５等は押さえ部材１３により押圧される。この押圧による摩擦抵抗によりポリ袋１５のスベリ落ちを防ぐことができる。
【００２２】
なお、押さえ部材１３の下端稜線部に切り込み１３ａを形成したことにより、懸架部材２に多数二つ重ね折りにして懸架されたポリ袋１５ごと押し上げて、収納本体１の固定顎溝６ａ、６ｂに懸架部位２の水平部２ｅを収納する際に素手甲面の当りを緩和して便利である。
【００２３】
本発明のポリ袋等の収納具１０は使い易い場所にあって簡単に設置され、必要の都度ポリ袋１５が楽に取り出せるものである。ポリ袋１５は、例えば日常的に家庭や事務所などで発生する生ごみが入れられる。
【００２４】
ポリ袋１５を引き出すには、図１０に示すように、懸架部位２の水平部２ｅに懸架したポリ袋１５を掴み上げることで一枚ずつ簡単に引き抜くことが可能である。
【００２５】
【発明の効果】
以上説明したように本発明によれば、整理収納された多数の二つ折り重ねポリ袋等は、使用頻度の高い場所に小スペースにして取付が可能である。そして、使用の都度一枚一枚のポリ袋等を確実に取り出すことができる。また、懸架部材と押さえ部材とを互いに交差して回動させる構成としたので、ポリ袋の交換や補給にあって作業が簡単で使い易い。
【図面の簡単な説明】
【図１】  本発明の実施形態であるポリ袋等の収納具の使用時の斜視図
【図２】  構造および部品構成を示す組立図
【図３】  ポリ袋等が懸架されていない状態での側面図
【図４】  ポリ袋等が懸架されていない状態での正面図
【図５】  ポリ袋等が懸架されていない状態での平面図
【図６】  使用方法を説明する図
【図７】  同上
【図８】  同上
【図９】  同上
【図１０】  同上
【符号の説明】
１      収納本体
２      懸架部材
３      固定部材
５      回動停止コマ
６      固定顎溝
１３      押さえ部材
１５      ポリ袋
【図１】
0003968379.tif 000002
【図２】
0003968379.tif 000003
【図３】
0003968379.tif 000004
【図４】
0003968379.tif 000005
【図５】
0003968379.tif 000006
【図６】
0003968379.tif 000007
【図７】
0003968379.tif 000008
【図８】
0003968379.tif 000009
【図９】
0003968379.tif 000010
【図１０】
0003968379.tif 000011